(57)【特許請求の範囲】
【請求項１】
棒状化粧料１を収嵌保持し、側壁に螺合突部１０３を突設した保持筒２と、該保持筒２を上下摺動自在に内装し、側壁に前記螺合突部１０３が貫通するガイド溝４ａを穿設した身筒３と、該身筒３に回動自在に脱落不能に保持され、内壁に前記螺合突部１０３が螺合する螺旋溝１０ａを設けたスリーブ５とが主な構成要素となり、
前記身筒３およびスリーブ５にそれぞれが回動自在に脱落不能に係合する係合凹溝１２０ｃおよび係合リブ１１４ｃを設け、身筒３のスリーブ５との係合部分より下方に、切り欠いて上下、左右全方向に屈曲可能なクッション部１３７を設け、該クッション部１３７により棒状化粧料１に伝わる衝撃を緩衝する事を特徴とする棒状化粧料繰り出し容器。
【請求項２】
該クッション部１３７は、身筒３の側面に、水平方向から向かい合って、中央に連結部１１３を残して切り欠き１２１を設け、該連結部１１３と切り欠き１２１を、軸線を中心に９０度ずらして上下に２組設け構成した事を特徴とする請求項１記載の棒状化粧料繰り出し容器。
【発明の詳細な説明】
【技術分野】
【０００１】
本発明は、口紅、リップクリーム等の棒状化粧料を収容し、この棒状化粧料を上下摺動させる棒状化粧料繰り出し容器に関するものである。
【背景技術】
【０００２】
従来、口紅、リップクリーム、スティックファンデーション等の棒状化粧料を収容し、この棒状化粧料を上下摺動させる棒状化粧料繰り出し容器は、棒状化粧料を収嵌保持する保持筒、この棒状化粧料および保持筒を上下摺動自在に内装する身筒、この身筒に回動自在に保持され前記保持筒が螺合して保持筒を上下摺動させる螺旋溝を螺設した螺旋筒により構造部が構成され、身筒と螺旋筒を相対回転させる事によって螺合作用により保持筒および棒状化粧料を上下摺動させる繰り出し機構になっていた。
【０００３】
また、本出願人は特許文献１において、薄肉金属製のスリーブ内周に、無数の凹凸を有したローレットを螺旋状に螺設して螺旋状ローレットを構成し、保持筒の螺合突部を隣り合った複数条の螺旋状ローレットに螺合させた繰り出し機構を提案している。この構成の場合、螺旋筒と外装体であるスリーブを一体で成形でき、しかも螺旋溝もスリーブを成形するプレス工程内で成形できるため、製造コストを削減できた。更に、保持筒が隣り合った複数条の螺旋溝に螺合しているため、従来あったような螺合のためのガタツキもほとんどゼロに近づけることができ、良好な使用感にする事ができた。
【特許文献１】特許２９１８１０７号
【発明の開示】
【発明が解決しようとする課題】
【０００４】
しかし、保持筒とスリーブとの螺合のガタツキがなくなり、良好な使用感になった反面、誤って落下させてしまった際など、容器に衝撃が加わった場合、その衝撃がスリーブから保持筒、棒状化粧料に直接伝わり、棒状化粧料を損傷してしまう危険性が増加してしまった。
【課題を解決するための手段】
【０００５】
棒状化粧料１を収嵌保持し、側壁に螺合突部１０３を突設した保持筒２と、該保持筒２を上下摺動自在に内装し、側壁に前記螺合突部１０３が貫通するガイド溝４ａを穿設した身筒３と、該身筒３に回動自在に脱落不能に保持され、内壁に前記螺合突部１０３が螺合する螺旋溝１０ａを設けたスリーブ５とが主な構成要素となり、
【０００６】
前記身筒３およびスリーブ５にそれぞれが回動自在に脱落不能に係合する係合凹溝１２０ｃおよび係合リブ１１４ｃを設け、身筒３のスリーブ５との係合部分より下方に、切り欠いて上下、左右全方向に屈曲可能なクッション部１３７を設け、該クッション部１３７により棒状化粧料１に伝わる衝撃を吸収する。
【０００７】
該クッション部１３７は、身筒３の側面に、水平方向から向かい合って、中央に連結部１１３を残して切り欠き１２１を設け、該連結部１１３と切り欠き１２１を、軸線を中心に９０度ずらして上下に２組設け構成した。
【発明の効果】
【０００８】
本発明は以上の様に、身筒３のスリーブ５との係合部分より下方に、切り欠いて上下、左右全方向に屈曲可能なクッション部１３７を設け、容器内に加わった衝撃をクッション部１３７が緩衝し、スリーブ５、保持筒２、棒状化粧料１に破壊的な衝撃が加わらないようにしている。このクッション部１３７は、身筒３の側面に、水平方向から向かい合って、中央に連結部１１３を残して切り欠き１２１を設け、該連結部１１３と切り欠き１２１を、軸線を中心に９０度ずらして上下に２組設けて構成したため、どの方向から加わる衝撃に対しても、クッションとして機能する。
【０００９】
逆に、棒状化粧料１を塗布している際、棒状化粧料１に必要以上の塗布圧をかけてしまったとしても、クッション部１３７が吸収して棒状化粧料１を保護するようになっている。
【実施例１】
【００１０】
本発明実施例１を図１から図３によって説明する。口紅などの棒状化粧料１を収嵌保持した保持筒２は、側壁に螺合突部１０３を突設している。この保持筒２は、身筒３内に上下摺動自在に内装されている。
【００１１】
この身筒３の側壁には、保持筒２の螺合突部１０３が貫通して身筒３の側壁より突出するガイド溝４ａが穿設され、保持部１０１となっている。このガイド溝４ａの上端には、正面から見て左側に水平に屈曲した上部水平溝１２６ａを連設し、下端には正面から見て右側に水平に屈曲した下部水平溝１２６ｂを連設している。その結果、保持筒２が上死点及び下死点のとき、螺合突部１０３がガイド溝４ａの上部水平溝１２６ａ及び下部水平溝１２６ｂに係合して保持筒２の不用意な上昇及び下降を防止できるようになっている。
【００１２】
更にガイド溝４ａが設けられた保持部１０１の下方は、外径が拡大して摺接部１２７となっている。この摺接部１２７の下方には、更に外径が拡大した止着部１２４になっている。この摺接部１２７の上部側壁には、係合凹溝１２０ｃが周設されている。この係合凹溝１２０ｃの下方には、水平方向から向かい合って、中央に連結部１１３を残して切り欠き１２１が設けられている。この切り欠き１２１および連結部１１３は、軸線を中心に９０度ずらして上下に２組設けられ、スプリング状のクッション部１３７を構成している。この身筒３の保持部１０１および摺接部１２７は、スリーブ５内に回動自在に挿入されている。
【００１３】
このスリーブ５の下端は、身筒３の摺接部１２７までを覆っている。このスリーブ５の、身筒３の保持部１０１と相対した内壁部分は螺旋部１０ｂとなり、この螺旋部１０ｂの内周全周には、無数の凹凸を有したローレットが右ネジ状に螺設され、螺旋状ローレット１１５ａを構成している。この螺旋状ローレット１１５ａの溝幅は、前記保持筒２の螺合突部１０３の幅よりも狭くなっている。なお、保持筒２の螺合突部１０３の螺合面１０３ａには、スリーブ５の螺旋状ローレット１１５ａに対応した凹凸が刻設され、隣り合った複数条の螺旋状ローレット１１５ａが螺合している。このスリーブ５の螺旋部１０ｂ下方は、肉厚が薄くなった肉薄部１１０になっている。また、スリーブ５の肉薄部１１０の内壁には、身筒３の係合凹溝１２０ｃに係合する係合リブ１１４ｃが周設され、スリーブ５が身筒３に回動自在に脱落不能に連結している。
【００１４】
そして、スリーブ５と身筒３を相対回転させると、保持筒２は身筒３のガイド溝４ａに回動を阻止された状態で螺合突部１０３が螺旋状ローレット１１５ａに螺合しているため、螺合作用により、棒状化粧料１および保持筒２が昇降動する。
【００１５】
身筒３下端の止着部１２４は、本体筒６ａ内に挿入止着されている。この本体筒６ａの上端には、嵌合筒７が止着されている。この嵌合筒７の上端は、本体筒６ａ上端より突出して、キャップ８が抜脱可能に嵌合する嵌合部１１１となっている。
【００１６】
また、図６に示したように、スリーブ５と身筒３の間にＯリング１２を挟持させ、このＯリング１２の弾性によって回転摺動抵抗を付与させる事ができる。また、図７に示したように、身筒３の摺接部１２７のクッション部１３７の外壁にスリーブ５の肉薄部１１０に弾性を有して当接する弾性突部１２３ａを突設して回転摺動抵抗を付与させることもできる。
【００１７】
また、明細書中では、本体筒６ａと嵌合筒７が別体の構成を説明したが、図１のように本体筒６ａと嵌合筒７を一体に成形する事も可能である。また、保持筒２、身筒３、及びスリーブ５で棒状化粧料繰り出し容器を構成する事も可能である。
【図面の簡単な説明】
【００１８】
【図１】本発明実施例の棒状化粧料繰り出し容器の収納状態における正面断面図である。
【図２】本発明実施例の棒状化粧料繰り出し容器の使用状態における正面断面図である。
【図３】本発明実施例の棒状化粧料繰り出し容器の分解斜視図である。
【図４】本発明実施例の身筒に、軸線方向より衝撃が加わった場合の説明図である。
【図５】本発明実施例の身筒に、水平方向より衝撃が加わった場合の説明図である。
【図６】本発明その他の実施例の棒状化粧料容器の部分拡大断面図である。
【図７】本発明その他の実施例の棒状化粧料容器の部分拡大断面図である
【符号の説明】
【００１９】
１      棒状化粧料
２      保持筒
３      身筒
４ａ      ガイド溝
５      スリーブ
１０ａ      螺旋溝
１０３      螺合突部
１１３      連結部
１１４ｃ      係合リブ
１２０ｃ      係合凹溝
１２１      切り欠き
１３７      クッション部
【図１】
0004613502.tif 000002
【図２】
0004613502.tif 000003
【図３】
0004613502.tif 000004
【図４】
0004613502.tif 000005
【図５】
0004613502.tif 000006
【図６】
0004613502.tif 000007
【図７】
0004613502.tif 000008